(57)【要約】【課題】  グラフィック操作パネルを備えた装置に対するオペレータによる装置の操作性を向上させる。【解決手段】  タッチパネル２５は、表示画面において、オペレータによる部品画像の押下を検出する。イベント実行部２７は、オペレータによる部品画像の持続的な押下が所定の時間、タッチパネル２５によって検出された場合に、当該部品画像に割り当てられている所定の処理を実行する。画像状態変更部２６は、イベント実行部２７による所定の処理の実行が開始される前の、オペレータによる部品画像の持続的な押下がタッチパネル２５によって検出されている間に、部品画像の表示状態を変更する。これにより、オペレータは、部品画像の表示状態が変更されたことに基づき、部品画像を押下し続ける必要があることがわかり、次の操作に戸惑うことがない。したがって、制御用表示装置２０の操作性が向上する【選択図】  図１
2006134092.tif 000002
【特許請求の範囲】
【請求項１】
表示画面において、オペレータによる部品画像の押下を検出する領域入力手段と、
上記オペレータによる上記部品画像の持続的な押下が所定の時間、上記領域入力手段によって検出された場合に、当該部品画像に割り当てられている所定の処理を実行する処理実行手段とを備えている制御用表示装置において、
上記処理実行手段による上記所定の処理の実行が開始される前の、上記オペレータによる上記部品画像の持続的な押下が上記領域入力手段によって検出されている間に、上記部品画像の表示状態を変更する表示状態変更手段をさらに備えていることを特徴とする制御用表示装置。
【請求項２】
表示画面において、オペレータによる部品画像の押下を検出する領域入力手段と、
上記オペレータによる上記部品画像の押下の終了が上記領域入力手段によって検知されてから、所定の時間が経過したことを確認した場合に、当該部品画像に割り当てられている所定の処理を実行する処理実行手段とを備えている制御用表示装置において、
上記オペレータによる上記部品画像の押下の終了が領域入力手段によって検出されてから、上記処理実行手段による上記所定の処理の実行が開始される前の間、上記部品画像の表示状態を変更する表示状態変更手段をさらに備えていることを特徴とする制御用表示装置。
【請求項３】
表示画面において、オペレータによる部品画像の押下を検出する領域入力手段と、
上記オペレータによる上記部品画像の１回目の押下の終了が上記領域入力手段によって検出されてから、所定の時間経過後、上記オペレータによる上記部品画像の２回目の押下が上記領域入力手段によって検出された場合に、当該部品画像に割り当てられている所定の処理を実行する処理実行手段とを備えている制御用表示装置において、
上記オペレータによる上記部品画像の１回目の押下の終了が上記領域入力手段によって検出されてから、上記処理実行手段による上記所定の処理が実行されるまでの間、上記部品画像の表示状態を変更する表示状態変更手段をさらに備えていることを特徴とする制御用表示装置。
【請求項４】
上記オペレータによる上記部品画像の押下の終了が上記領域入力手段によって検出されてから、上記所定の時間が経過した後において、上記オペレータによる２回目の部品画像の押下が検出されなかった場合、
上記表示状態変更手段は、上記部品画像の表示状態を元の状態に変更するか、またはさらに別の状態に変更することを特徴とする請求項３に記載の制御用表示装置。
【請求項５】
表示画面において、オペレータによる部品画像の押下を検出する領域入力手段と、
上記オペレータによる上記部品画像の押下が上記領域入力手段によって検知されないように設定する押下ロック設定手段と、
上記オペレータによる上記部品画像の押下が上記領域入力手段によって検知されないように上記押下ロック設定手段によって設定されている間、上記部品画像の表示状態を変更する表示状態変更手段とを備えていることを特徴とする制御用表示装置。
【請求項６】
請求項１〜５のいずれかに記載の制御用表示装置が、上記表示画面を表示する際に使用する画面データを作成する画面データ作成手段を備えている作画エディタ装置であって、
上記画面データ作成手段は、上記表示状態変更手段による上記部品画像の変更処理内容が定義されている変更内容定義データを含んでいる画面データを作成することを特徴としているコンピュータ読み取り可能な作画エディタ装置。
【請求項７】
請求項１〜５のいずれか１項に記載の制御用表示装置を動作させる表示制御プログラムであって、コンピュータを上記の各手段として機能させることを特徴とする表示制御プログラム。
【請求項８】
請求項７に記載の表示制御プログラムを格納していることを特徴とするコンピュータ読み取り可能な記録媒体。
【発明の詳細な説明】
【技術分野】
【０００１】
本発明は、操作性に優れた制御用表示装置、この制御用表示装置が使用する画面データを生成する作画エディタ装置、制御用表示装置をソフトウェア的に実現する表示制御プログラム、および、この表示制御プログラムを格納しているコンピュータ読み取り可能な記録媒体に関する。
【背景技術】
【０００２】
従来、制御システムのＨＭＩ（Human Machine Interface）として、プログラマブル表示器をはじめとするグラフィック操作パネルが広く使用されている。
【０００３】
当該グラフィック操作パネルは、デバイスの状態を、当該デバイスを表す部品画像として操作画面上に表示してオペレータへ通知すると共に、オペレータによる操作画面への操作（部品画像の押下）を受け付け、当該操作に応じて、部品画像の表示状態を変更したり、部品画像が表すデバイスを制御したりする。
【０００４】
ここで、従来のグラフィック操作パネルでは、オペレータによる部品画像の押下処理に基づき、多様なタイミングで、部品画像が表すデバイス（スイッチ等）に割り当てられた処理が実行されるようになっている。
【０００５】
例えば、オペレータが部品画像を一定時間押下し続けた後に、デバイスをＯＮにして、何らかの処理を実行する技術（ＯＮディレイ）が知られている。他にも、オペレータが部品画像の押下を終了してから、一定時間が経過した後に、スイッチをＯＦＦにする技術（ＯＦＦディレイ）も知られている。
【０００６】
また、特許文献１には、１回のスイッチ操作と連動して、互いに出力タイミングの異なった複数種類の信号を出力可能とするとともに、その信号の出力タイミングを処理指示語を用いて検出し、その処理指示語で特定される所定の処理動作を行わせるプログラム式表示装置が開示されている。
【０００７】
特許文献１によれば、スイッチ動作と連動して行われる多様な制御動作を、簡単に設定できる。
【０００８】
また、特許文献２には、グラフィック操作パネルとは異なるが、オフ操作後に一定時間、オン状態を維持する遅延スイッチが開示されている。
【特許文献１】特開平１１−０６５７６８号公報（公開日：平成１１年（１９９９年）０３月０９日）
【特許文献２】特開平０５−２７４９６２号公報（公開日：平成０５年（１９９２年）０３月２６日）
【発明の開示】
【発明が解決しようとする課題】
【０００９】
しかし、上述した従来技術には、オペレータによる装置の操作性が悪いという問題がある。
【００１０】
例えば、ＯＮディレイが設定されている場合において、オペレータが部品画像を押下し続けた場合、部品画像の表示状態はそのままである。したがって、オペレータは、部品画像を押下している最中、現在、部品画像を押し続ければスイッチがＯＮになるのか、それとも、すでにスイッチがＯＮになっているのかを、部品画像の表示状態に基づき判別できない。このことから、オペレータは、次にどのような操作をすべきであるのかを、すぐに決定できない。このような問題は、ＯＦＦディレイ中でも同様に生じる。
【００１１】
また、特許文献１の装置では、異なる処理動作が行われている間、スイッチの表示状態に変更がないため、オペレータは、現在、どのような処理が行われているのかを、スイッチの表示状態から知ることができない。したがって、オペレータは、次にどのような操作をすべきであるのかを、すぐに決定できない。
【００１２】
また、特許文献２の遅延スイッチでは、オフ操作後、スイッチの表示状態は、オンのままとなっている。この状態において、ユーザは、スイッチをオフした後のオン状態であるのか、それとも、通常のオン状態であるのかを区別できない。この場合も、オペレータは、次にどのような操作をすべきであるのかを、すぐに決定できない。
【００１３】
本発明は上記の問題点に鑑みてなされたものであり、その目的は、操作性に優れた制御用表示装置、この制御用表示装置が使用する画面データを生成する作画エディタ装置、制御用表示装置をソフトウェア的に実現する表示制御プログラム、および、この表示制御プログラムを格納しているコンピュータ読み取り可能な記録媒体を提供することにある。
【課題を解決するための手段】
【００１４】
本発明に係る制御用表示装置は、上記の課題を解決するために、表示画面において、オペレータによる部品画像の押下を検出する領域入力手段と、上記オペレータによる上記部品画像の持続的な押下が所定の時間、上記領域入力手段によって検出された場合に、当該部品画像に割り当てられている所定の処理を実行する処理実行手段とを備えている制御用表示装置において、上記処理実行手段による上記所定の処理の実行が開始される前の、上記オペレータによる上記部品画像の持続的な押下が上記領域入力手段によって検出されている間に、上記部品画像の表示状態を変更する表示状態変更手段をさらに備えていることを特徴としている。
【００１５】
上記の構成によると、本装置では、処理実行手段による所定の処理の実行が開始される前の、オペレータによる部品画像の持続的な押下が所定の時間、領域入力手段によって検出されている間において、表示状態変更手段によって部品画像の表示状態が変更される。すなわち、オペレータによる部品画像の押下が始まって、当該部品画像に割り当てられている所定の処理が処理実行手段によって実行されるまでの間、部品画像の表示状態が変更される
これにより、このような部品画像の表示状態の変更にもとづき、オペレータは、いま、部品画像をＯＮにするためには、部品画像を所定の時間、押し続ける必要があることを理解する。したがって、オペレータは、部品画像を押下し続けている間、次にどうすべきかを迷うことがない。
【００１６】
このように、本装置は、部品画像の表示状態の変更を行わない従来装置に比べて、オペレータに対して、装置の現在の状況を示す画像を、より積極的に提示する。すなわち、本装置は、従来装置に比較して、より優れた操作性を発揮する効果を奏する。
【００１７】
本発明に係る他の制御用表示装置は、上記の課題を解決するために、上記オペレータによる上記部品画像の押下の終了が上記領域入力手段によって検知されてから、所定の時間が経過したことを確認した場合に、当該部品画像に割り当てられている所定の処理を実行する処理実行手段と、上記オペレータによる上記部品画像の押下の終了が上記領域入力手段によって検知されてから、所定の時間が経過したことを確認した場合に、当該部品画像に割り当てられている所定の処理を実行する処理実行手段とを備えている制御用表示装置において、上記オペレータによる上記部品画像の押下の終了が領域入力手段によって検出されてから、上記処理実行手段による上記所定の処理の実行が開始される前の間、上記部品画像の表示状態を変更する表示状態変更手段をさらに備えていることを特徴としている。
【００１８】
上記の構成によると、本装置では、オペレータによる部品画像の押下の終了が領域入力手段によって検出されてから、処理実行手段による所定の処理の実行が開始されるまでの間、部品画像の表示状態が、表示状態変更手段によって変更される。
【００１９】
これにより、このような部品画像の表示状態の変更にもとづき、オペレータは、いま、所定の時間待たないと、部品画像がＯＦＦにならないことを理解する。したがって、オペレータは、部品画像の押下を終了したあと、現在、部品画像がＯＦＦになっているのか、それとも、まだＯＮのままであるが、ある程度の時間が経てばＯＦＦになるのか、を判別できる。
【００２０】
このように、本装置は、部品画像の表示状態の変更を行わない従来装置に比べて、オペレータに対して、装置の現在の状況を示す画像を、より積極的に提示する。すなわち、本装置は、従来装置に比較して、より優れた操作性を発揮する効果を奏する。
【００２１】
本発明に係るさらに他の制御用表示装置は、上記の課題を解決するために、上記オペレータによる上記部品画像の１回目の押下の終了が上記領域入力手段によって検出されてから、上記処理実行手段による上記所定の処理が実行されるまでの間、上記部品画像の表示状態を変更する表示状態変更手段と、上記オペレータによる上記部品画像の１回目の押下の終了が上記領域入力手段によって検出されてから、所定の時間経過後、上記オペレータによる上記部品画像の２回目の押下が上記領域入力手段によって検出された場合に、当該部品画像に割り当てられている所定の処理を実行する処理実行手段とを備えている制御用表示装置において、上記オペレータによる上記部品画像の１回目の押下の終了が上記領域入力手段によって検出されてから、上記処理実行手段による上記所定の処理が実行されるまでの間、上記部品画像の表示状態を変更する表示状態変更手段をさらに備えていることを特徴としている。
【００２２】
上記の構成によると、本装置では、オペレータによる部品画像の１回目の押下の終了が領域入力手段によって検出されてから、所定の時間経過後、オペレータによる部品画像の２回目の押下が領域入力手段によって検出されると、当該部品画像に割り当てられている所定の処理が、処理実行手段によって実行される。
【００２３】
また、このとき、オペレータによる部品画像の１回目の押下の終了が領域入力手段によって検出されてから、処理実行手段による所定の処理が実行されるまでの間、部品画像の表示状態が、表示状態変更手段によって変更される。
【００２４】
これにより、このような部品画像の表示状態の変更にもとづき、オペレータは、いま、部品画像の表示状態が変更されている間に、もう一度部品画像を押下しないと、部品画像がＯＮにならないことを理解する。したがって、オペレータは、部品画像の１回目の押下を終了したあと、部品画像がＯＮになったのか、それとも、もう一度部品画像を押下する必要があるのか、を判別できる。
【００２５】
このように、本装置は、部品画像の表示状態の変更を行わない従来装置に比べて、オペレータに対して、装置の現在の状況を示す画像を、より積極的に提示する。すなわち、本装置は、従来装置に比較して、より優れた操作性を発揮する効果を奏する。
【００２６】
また、本発明に係る制御用表示装置は、さらに、上記オペレータによる上記部品画像の押下の終了が上記領域入力手段によって検出されてから、上記所定の時間が経過した後において、上記オペレータによる２回目の部品画像の押下が検出されなかった場合、上記表示状態変更手段は、上記部品画像の表示状態を元の状態に変更するか、またはさらに別の状態に変更することが好ましい。
【００２７】
上記の構成によれば、オペレータによる部品画像の押下の終了が領域入力手段によって検出されてから、所定の時間が経過した後において、オペレータによる二度目の部品画像の押下領域入力手段によって検出されなかった場合、上記部品画像の表示状態が、表示状態変更手段によって、元の状態に変更されるか、または、さらに別の状態に変更される。
【００２８】
これにより、オペレータは、所定の時間経過後、部品画像の表示状態が元の状態に変更されるか、または、さらに別の状態に変更されたことを視認して、部品画像を再び押下してもＯＮにはならないことを理解する。このように、本装置は、オペレータによる装置の操作性をさらに向上できる効果を奏する。
【００２９】
本発明に係る制御用表示装置は、上記の課題を解決するために、表示画面において、オペレータによる部品画像の押下を検出する領域入力手段と、上記オペレータによる上記部品画像の押下が上記領域入力手段によって検知されないように設定する押下ロック設定手段とを備えている制御用表示装置において、上記オペレータによる上記部品画像の押下が上記領域入力手段によって検知されないように上記押下ロック設定手段によって設定されている間、上記部品画像の表示状態を変更する表示状態変更手段をさらに備えていることを特徴としている。
【００３０】
上記の構成によれば、本装置では、オペレータによる部品画像の押下が領域入力手段によって検知されないように押下ロック設定手段によって設定されている間、上記部品画像の表示状態が、表示状態変更手段によって変更される。これにより、オペレータは、部品画像の表示状態が変更されていることに基づき、いま、部品画像を押下しても、スイッチがＯＮにはならないことを理解する。
【００３１】
このように、本装置は、部品画像の表示状態の変更を行わない従来装置に比べて、オペレータに対して、装置の現在の状況を示す画像を、より積極的に提示する。すなわち、本装置は、従来装置に比較して、より優れた操作性を発揮する効果を奏する。
【００３２】
本発明に係る作画エディタ装置は、上記の課題を解決するために、制御用表示装置が、上記表示画面を表示する際に使用する画面データを作成する画面データ作成手段を備えている作画エディタ装置において、上記画面データ作成手段は、上記表示状態変更手段による上記部品画像の変更処理内容が定義されている変更内容定義データを含んでいる画面データを作成することを特徴としている。
【００３３】
上記の構成によれば、表示状態変更手段による部品画像の変更処理内容が定義されている変更内容定義データを含んでいる画面データが、画面データ作成手段によって、作成される。したがって、上述した制御用表示装置は、この画面データを使用して、表示画面を表示する。すなわち、制御用表示装置は、上述した部品画像の変更処理を、この画面データに基づいて行うことができる。
【００３４】
このように、上記の構成によれば、表示状態変更手段による部品画像の変更処理内容が定義されている変更内容定義データを含んでいる画面データを作成できる作画エディタ装置を提供できる効果を奏する。
【００３５】
なお、上述した制御用表示装置は、コンピュータによって実現してもよい。この場合、コンピュータを上記各手段として動作させることにより上記制御用表示装置をコンピュータにて実現させる表示制御プログラム、およびその表示制御プログラムを記録したコンピュータ読み取り可能な記録媒体も、本発明の範疇に入る。
【発明の効果】
【００３６】
以上のように、本発明に係る制御用表示装置では、処理実行手段による所定の処理の実行が開始される前の、オペレータによる部品画像の持続的な押下が領域入力手段によって検出されている間に、表示状態変更手段が、部品画像の表示状態を変更するため、オペレータによる装置の操作性により優れる効果を奏する。
【発明を実施するための最良の形態】
【００３７】
本発明の一実施形態について、図１〜図１４を参照して説明する。
【００３８】
本発明の制御システムは、ターゲットシステムに備えられているデバイス５０を制御するためのシステムである。この制御システムは、例えば、ベルトコンベア式の自動組付機などのデバイス５０の制御に好適に用いられる。以下では、本発明の制御用表示装置２０を説明するに先立ち、まず、制御用表示装置２０を備えている制御システムの全体構成について詳細に説明する。
【００３９】
〔制御システム〕
図１は、本発明の一実施形態に係る制御用表示装置２０を含む制御システムの詳細な構成を示すブロック図である、この図に示すように、本発明に係る制御システムは、作画エディタ装置１０、制御用表示装置２０、ＰＬＣ４０、およびデバイス５０からなる構成である。
【００４０】
〔作画エディタ装置１０〕
作画エディタ装置１０は、制御用表示装置２０において画面表示に使用される画面データを作成するための装置である。この作画エディタ装置１０は、作画処理部１２および通信部１４を備えている。オペレータは、専用のエディタソフトウェアを用い、画面上でスイッチやランプなどの各部品画像を組み合わせることによって、表示画面を作成する。このとき、作画処理部１２は、オペレータが作成した表示画面に基づき、この表示画面を表示するために制御用表示装置２０が用いる画面データを生成する。
【００４１】
このとき、画面データ作成手段は、後述する画像状態変更部２６による部品画像の変更処理内容が定義されている変更内容定義データを含んでいる画面データを生成する。また、作画エディタ側通信部２２は、作画処理部１２が生成した画面データを、制御用表示装置２０の作画エディタ側通信部２２に送信する。
【００４２】
〔ＰＬＣ４０、デバイス５０〕
ＰＬＣ４０は、デバイス５０を制御する制御装置である。デバイス５０として、ターゲットシステムに備えられる各種スイッチやランプ等がある。これらのデバイスは、何らかのデバイスアドレスにより、制御用表示装置２０によって特定されることが可能なものであれば、任意のものでかまわない。例えば、デバイスは、デバイス５０自体であってもよいし、ＰＬＣ４０や、制御用表示装置２０に装着されている記憶装置など、制御システムに設けられている記憶装置の一領域であってもよい。
【００４３】
〔制御用表示装置２０〕
制御用表示装置２０は、デバイス５０の状態を表示し、オペレータによるデバイス５０への操作を受け付け、デバイス５０を制御する指示を、ＰＬＣ４０に出力する。このとき、制御用表示装置２０は、作画エディタ装置１０において生成された画面データに基づき、液晶ディスプレイ等によって構成されるディスプレイ２４上に、各デバイス５０等を表す部品画像を表示する。オペレータが制御用表示装置２０を操作し、ディスプレイ２４に表示されている各部品画像を押下する（タッチする）することによって、制御用表示装置２０では、デバイス５０への制御指示や、別の表示画面への表示切り替えなどが行われる。
【００４４】
また、制御用表示装置２０は、いわゆるプログラマブル表示器の一種である。すなわち、制御用表示装置２０は、後述する画面データに基づいて、デバイス５０を制御するためにオペレータに提供する表示画面を、ディスプレイ２４上に表示する。また、ディスプレイ２４においてオペレータによる入力を受け付けることによって、デバイス５０を制御したり、ディスプレイ２４の画面表示を更新したりする。
【００４５】
制御システムでは、図１に示すように、制御用表示装置２０は、シリアルケーブルなどの通信回線を介して、各ＰＬＣ４０と接続されている。図１では、説明の便宜上、制御用表示装置２０に接続された２台のＰＬＣ４０と、各ＰＬＣ４０に接続されたそれぞれ１台のデバイス５０とを表示している。しかし、制御用表示装置２０を備えている制御システムでは、ターゲットシステムの規模に応じて、必要な数のＰＬＣ４０およびデバイス５０を任意に備えることができる。
【００４６】
〔制御用表示装置２０の概要〕
制御用表示装置２０は、上述したように、作画エディタ装置１０において作成され、制御用表示装置２０に送信される画面データに基づき、画面データが表す画面を、タッチパネル等の表示デバイスに表示する。そして、制御用表示装置２０では、オペレータが部品画像をタッチ（押下）すると、この部品画像に割り当てられている所定の動作が実行される。
【００４７】
〔制御用表示装置２０の詳細〕
制御用表示装置２０の詳細について、図１を参照して詳細に説明する。制御用表示装置２０は、図１に示すように、制御部２１、作画エディタ側通信部２２、画面データ記憶部２３、ディスプレイ２４、タッチパネル２５（領域入力手段）、画像状態変更部２６（表示状態変更手段）、イベント実行部２７（処理実行手段）、インターロック部２８（押下ロック設定手段）、およびＰＬＣ側通信部２９を備えている。
【００４８】
〔制御部２１〕
制御部２１は、制御用表示装置２０内に備えられている各部材を統括的に制御する。例えば、作画エディタ側通信部２２が受信した画面データを受け取り、画面データ記憶部２３に格納する。
【００４９】
〔作画エディタ側通信部２２〕
作画エディタ側通信部２２は、作画エディタ装置１０から送信された画面データを受信し、制御部２１に出力する。
【００５０】
〔画面データ記憶部２３〕
画面データ記憶部２３は、作画エディタ側通信部２２を通じて制御用表示装置２０が受信した画面データを格納している。
【００５１】
〔ディスプレイ２４〕
ディスプレイ２４は、表示画面を表示する。このディスプレイ２４に表示されている部品画像にオペレータがタッチすることによって、制御用表示装置２０では、各部品に対応付けられている所定の処理が実行される。この詳細については、後述する。
【００５２】
〔タッチパネル２５〕
タッチパネル２５は、複数の部品画像によって構成される表示画面において、いずれかの部品画像へのオペレータによる入力を受け付け、当該受け付けた部品画像を識別する座標データを出力する。すなわち、タッチパネル２５は、ディスプレイ２４において表示されている表示画面に含まれるいずれかの部品画像への、オペレータによるタッチ動作を検出する。この後、タッチパネル２５は、オペレータがタッチした部品画像を特定する座標データを出力する。
【００５３】
〔イベント実行部２７〕
イベント実行部２７は、画面データ記憶部２３に記憶されている画面データに基づき、ディスプレイ２４に、各種部品画像によって構成される表示画面を表示する。また、イベント実行部２７は、座標データおよび画面データに基づき、オペレータがタッチした部品画像に割り当てられている所定の処理を実行する。
【００５４】
〔インターロック部２８〕
インターロック部２８は、所定の条件が成立する場合、例えば、部品画像におけるビットがＯＮとなっている場合、オペレータによる当該部品画像のタッチがタッチパネル２５によって検出されないように設定する。また、インターロック部２８は、オペレータによる部品画像のタッチが、タッチパネル２５によって検出されても、イベント実行部２７による所定の処理が実行されないように設定する。このような設定をすることによって、インターロック部２８は、部品画像に対するロック（インターロック）を実現する。
【００５５】
〔ＰＬＣ側通信部２９〕
ＰＬＣ側通信部２９は、通信回線を通じてＰＬＣ４０とやり取りし、イベント実行部２７が実行した所定の処理内容に基づく、デバイス５０に対する制御内容をＰＬＣ４０に送信する。また、ＰＬＣ４０から、デバイス５０の状態を示すデータを受信する。
【００５６】
〔画面データ〕
作画処理部１２において生成され、制御用表示装置２０に送信される画面データは、画面上の領域（部品画像）と、各領域への表示や入力に対応するデバイス５０との対応関係を示すタグが組み合わされて構成されている。この画面データを利用することによって、制御用表示装置２０は、複数の単位画面を切り換えて表示することができる。また、タグは、このタグが有効となる単位画面を示すファイル番号と、単位画面上で実行すべき処理内容を特定する事象名と、事象ごとに参照される参照情報とを含んでいる。
【００５７】
〔ＯＮディレイ〕
制御用表示装置２０では、オペレータによる部品画像のタッチに対して、ＯＮディレイを設定することができる。このＯＮディレイとは、オペレータによる部品画像の持続的なタッチが所定時間、タッチパネル２５によって検出され続けることをいう。制御用表示装置２０では、ＯＮディレイの経過後に、部品画像に割り当てられた所定の処理が、イベント実行部２７によって実行される。すなわち、このとき、部品画像によって表されるスイッチ（デバイス５０等）が、ＯＮになる。この例について、図２を参照して説明する。
【００５８】
図２は、オペレータによる部品画像のタッチ動作が、ディレイ時間ｔｏｎの間、タッチパネル２５によって続けて検出された場合の、部品画像の表示状態の変化を示す図である。
【００５９】
この図に示すように、制御用表示装置２０では、オペレータによる部品画像のタッチがＯＦＦであるとき、ディスプレイ２４に部品画像としてＯＦＦ画像が表示されている。換言すると、制御用表示装置２０では、オペレータによる部品画像のタッチがタッチパネル２５によって検出されていないとき、イベント実行部２７が、ディスプレイ２４に、部品画像としてＯＦＦ画像を表示している。
【００６０】
ここで、オペレータによる部品画像のタッチがＯＦＦからＯＮに変化するとき、部品画像の表示状態が、ＯＦＦ画像からＯＮディレイ画像へと変化する。換言すると、制御用表示装置２０では、オペレータによる部品画像のタッチが開始されたことがタッチパネル２５によって検出されると、画像状態変更部２６が、部品画像の表示状態を、ＯＦＦ画像からＯＮディレイ画像に変更する。このとき、制御用表示装置２０において、スイッチは、まだＯＦＦからＯＮへと変化していない。すなわち、オペレータが部品画像をタッチしても、スイッチはＯＦＦのままであり、イベント実行部２７は、部品画像に割り当てられている所定の処理を実行しない。
【００６１】
このＯＮディレイ画像は、オペレータに対して、部品画像を所定時間、タッチし続けると、スイッチがＯＮになることを伝えるための画像である。この画像が表示されていることに基づき、オペレータは、部品画像をタッチし続ける。そして、図２に示す例では、オペレータが、部品画像をディレイ時間ｔｏｎの間タッチし続けると、スイッチがＯＮになり、部品画像の表示状態が、ＯＮディレイ画像からＯＮ画像へと変化する。
【００６２】
すなわち、オペレータによる部品画像のタッチが、ディレイ時間ｔｏｎの間、タッチパネル２５によって持続的に検出され続けている間、部品画像として、ＯＮディレイ画像が表示され続ける。ここで、ディレイ時間ｔｏｎ経過、オペレータによる部品画像のタッチの終了がタッチパネル２５によって検出されると、画像状態変更部２６が、部品画像の表示状態をＯＮディレイ画像からＯＮ画像へと変更する。
【００６３】
これにより、制御用表示装置２０では、オペレータによる部品画像のタッチが、ディレイ時間ｔｏｎの間、持続的にＯＮとなったあとに、スイッチがＯＮになる。このとき、オペレータがタッチした部品画像に割り当てられている所定の処理が、イベント実行部２７によって実行される。
【００６４】
このような構成を取ることによって、制御用表示装置２０では、オペレータが部品画像を所定時間、タッチし続けたあとに初めて、部品画像に割り当てられている所定の処理が実行される。すなわち、制御用表示装置２０は、オペレータが誤って部品画像をタッチした場合の誤動作を未然に防止できる。
【００６５】
また、制御用表示装置２０では、ディレイ時間ｔｏｎの間、画像状態変更部２６が、部品画像の表示状態が、ＯＮディレイ画像となっている。したがって、オペレータは、部品画像をタッチしたあと、部品画像の表示状態がＯＮディレイ画像となっていることに基づき、これから、部品画像を持続的にタッチし続けないと、スイッチがＯＮにならないことを理解する。
【００６６】
すなわち、制御用表示装置２０では、ＯＮディレイ中に、画像状態変更部２６が部品画像の表示状態を変更することによって、オペレータに対して、いま、ＯＮディレイ中である事実を通知できる。オペレータは、この部品画像の表示状態によって、部品画像をタッチした後、現在、制御用表示装置２０がどのような状態になっているのかを知ることができるため、操作にまごつくことがない。すなわち、制御用表示装置２０は、従来装置に比べて、ユーザフレンドリーに優れる。
【００６７】
このように、制御用表示装置２０は、ＯＮディレイ時に部品画像の表示状態を変更しない従来装置に比べて、オペレータに対して、装置の現在の状況を示す画像を、より積極的に提示する。すなわち、制御用表示装置２０は、従来装置に比較して、より優れた操作性を発揮する。
【００６８】
〔ＯＮディレイ設定時の処理〕
なお、制御用表示装置２０では、図３〜図６に示すように、タッチパネル２５による部品画像のタッチ状況の検出のタイミングに合わせて、ビットの状態や、ブザーの鳴動を適宜、ＯＮにしたりＯＦＦにしたりする。この動作は、適宜、イベント実行部２７が行う。
【００６９】
図３は、オペレータによる部品画像のタッチ動作が、ディレイ時間ｔｏｎの間、タッチパネル２５によって続けて検出された場合の、部品画像の表示状態の変化、ビット状態の変化、およびブザー鳴動の変化の一例を示す図である。
【００７０】
図３に示す例では、オペレータによる部品画像のタッチが、タッチパネル２５によって持続的に検出され続けた後、イベント実行部２７が、ビットをＯＮに設定し、ブザーをＯＮにする。これにより、オペレータがタッチした部品画像に割り当てられているビットがオンに設定され、また、オペレータに対して、スイッチがＯＮになったことを示すブザーが鳴る。
【００７１】
なお、図３の例では、オペレータによる部品画像のタッチが、タッチパネル２５によって検出されなくなった後、画像状態変更部２６が、部品画像の表示状態をＯＮディレイ画像からＯＦＦディレイ画像に変更する。一方、イベント実行部２７は、ビットをＯＮの状態に設定し続ける。このような動作は、セットスイッチやワードスイッチに適用できる。
【００７２】
図４は、オペレータによる部品画像のタッチ動作が、ディレイ時間ｔｏｎの間、タッチパネル２５によって続けて検出された場合の、部品画像の表示状態の変化、ビット状態の変化、およびブザー鳴動の変化の他の例を示す図である。
【００７３】
図４に示す例では、オペレータによる部品画像のタッチが、タッチパネル２５によって検出されなくなった後、イベント実行部２７は、ビットをＯＦＦに設定する。このような動作は、モーメンタリスイッチに適用できる。
【００７４】
図５は、オペレータによる部品画像のタッチ動作が、ディレイ時間ｔｏｎの間、タッチパネル２５によって続けて検出された場合の、部品画像の表示状態の変化、ビット状態の変化、およびブザー鳴動の変化のさらに他の例を示す図である。
【００７５】
図５に示すように、制御用表示装置２０では、スイッチがＯＮになっている間、ブザーを鳴動し続けてもよい。すなわち、制御用表示装置２０では、オペレータによる部品画像のタッチが、ディレイ時間ｔｏｎの間、タッチパネル２５によって持続的に検出され続けた後、オペレータによる部品画像のタッチの終了がタッチパネル２５によって検出されるまでの間、イベント実行部２７は、ブザーをＯＮにし続けてもよい。換言すると、オペレータによる部品画像のタッチが、ディレイ時間ｔｏｎの間、タッチパネル２５によって持続的に検出され続けた結果、イベント実行部２７による所定の処理の実行が開始され始めてから、オペレータによる部品画像のタッチがタッチパネル２５によって検出されなくなるまでの間、イベント実行部２７は、ブザーをＯＮにし続けてもよい。
【００７６】
図６は、オペレータによる部品画像のタッチ動作が、ディレイ時間ｔｏｎの間、タッチパネル２５によって続けて検出された場合の、部品画像の表示状態の変化、ビット状態の変化、およびブザー鳴動の変化のさらに他の例を示す図である。
【００７７】
図６に示す例では、オペレータによる部品画像のタッチが、ディレイ時間ｔｏｎの間、タッチパネル２５によって検出され続けたあと、イベント実行部２７は、ビットをＯＮからＯＦＦに設定する。このような動作は、リセットスイッチに適用できる。
【００７８】
〔ＯＦＦディレイ〕
制御用表示装置２０では、オペレータによる部品画像のタッチに対して、ＯＦＦディレイを設定することができる。このＯＦＦディレイとは、オペレータによる部品画像のタッチの終了がタッチパネル２５によって検出されたあと、イベント実行部２７による所定の処理の実行が開始されるまでの間の期間を言う。このＯＦＦディレイの経過後、イベント実行部２７による所定の処理の実行が開始される。すなわち、このとき、部品画像によって表されるスイッチ（デバイス５０等）が、ＯＦＦになる。また、このＯＦＦディレイの際、制御用表示装置２０では、画像状態変更部２６が、部品画像の表示状態を変更する。そこで、この例について、図７を参照して説明する。
【００７９】
図７は、オペレータによる部品画像のタッチ動作の終了がタッチパネル２５によって検出された後に、ディレイ時間ｔｏｆｆの間、オペレータによる部品画像のタッチ動作がタッチパネル２５によって続けて検出されなかった場合の、部品画像の表示状態の変化を示す図である。
【００８０】
この図に示すように、制御用表示装置２０では、オペレータによる部品画像のタッチがＯＮであるとき、ディスプレイ２４に部品画像としてＯＮ画像が表示されている。換言すると、制御用表示装置２０では、オペレータによる部品画像のタッチがタッチパネル２５によって検出されているとき、イベント実行部２７が、ディスプレイ２４に、部品画像としてＯＮ画像を表示している。
【００８１】
ここで、制御用表示装置２０では、オペレータによる部品画像のタッチが終了すると、ＯＦＦディレイが設定される。すなわち、制御用表示装置２０では、オペレータによる部品画像のタッチの終了がタッチパネル２５によって検出されると、画像状態変更部２６が、部品画像の表示状態をＯＮ画像からＯＦＦディレイ画像へと変更する。このとき、制御用表示装置２０において、スイッチは、まだＯＮからＯＦＦへと変化していない。すなわち、オペレータが部品画像のタッチを終了しても、スイッチはＯＮのままであり、イベント実行部２７は、部品画像に割り当てられている所定の処理を実行している。
【００８２】
このＯＦＦディレイ画像は、オペレータに対して、部品画像のタッチ終了後、所定時間が経過すると、スイッチがＯＦＦになることを伝えるための画像である。図７では、オペレータによる部品画像のタッチが終了したあと、ディレイ時間ｔｏｆｆが経過する間、部品画像の表示状態は、ＯＦＦディレイ画像となっている。換言すると、オペレータによる部品画像のタッチの終了がタッチパネル２５によって検出されたあと、ディレイ時間ｔｏｆｆが経過する間、部品画像の表示状態が、画像状態変更部２６によってＯＦＦディレイ画像へと変更されている。
【００８３】
これにより、制御用表示装置２０では、オペレータによる部品画像のタッチの終了が、タッチパネル２５によって検出されたあと、スイッチがＯＦＦになる。このとき、オペレータがタッチした部品画像に割り当てられている所定の処理が終了する。
【００８４】
このような構成を取ることによって、制御用表示装置２０では、オペレータが部品画像のタッチを終了してから所定時間が経過したあと、初めて、部品画像の割り当てられている所定の処理の実行が終了する。これにより、オペレータは、一定のゆとりを持って制御用表示装置２０を操作できる。
【００８５】
また、制御用表示装置２０では、ディレイ時間ｔｏｆｆの間、部品画像の表示状態が、ＯＦＦディレイ画像となっている。したがって、オペレータは、部品画像のタッチを終了したあと、部品画像の表示状態がＯＦＦディレイ画像となっていることに基づき、これから所定時間が経過しないと、スイッチがＯＦＦにならないことを理解する。
【００８６】
すなわち、制御用表示装置２０では、ＯＦＦディレイ中に、画像状態変更部２６が部品画像の表示状態を変更することによって、オペレータに対して、いま、ＯＦＦディレイ中である事実を通知できる。すなわち、オペレータは、この部品画像の表示状態によって、部品画像のタッチを終了した後、現在、制御用表示装置２０がどのような状態になっているのかを知ることができるため、操作にまごつくことがない。すなわち、制御用表示装置２０は、この点においても、従来装置に比べてユーザフレンドリーに優れる。
【００８７】
このように、制御用表示装置２０は、ＯＦＦディレイ時に部品画像の表示状態を変更しない従来装置に比べて、オペレータに対して、装置の現在の状況を示す画像を、より積極的に提示する。すなわち、制御用表示装置２０は、従来装置に比較して、より優れた操作性を発揮する。
【００８８】
〔ＯＦＦディレイ設定時の処理〕
なお、制御用表示装置２０では、図８〜図１０に示すように、ＯＦＦディレイが設定されている場合も、タッチパネル２５による部品画像のタッチ状況の検出のタイミングに合わせて、ビットの状態や、ブザーの鳴動を適宜、ＯＮにしたりＯＦＦにしたりする。この動作は、適宜、イベント実行部２７が行う。
【００８９】
図８は、オペレータによる部品画像のタッチ動作の終了がタッチパネル２５によって検出された後に、ディレイ時間ｔｏｆｆの間、オペレータによる部品画像のタッチ動作がタッチパネル２５によって続けて検出されなかった場合の、部品画像の表示状態の変化、ビット状態の変化、およびブザー鳴動の変化の一例を示す図である。
【００９０】
図８に示す例では、オペレータによる部品画像のタッチがタッチパネル２５によって検出されると、イベント実行部２７が、ビットをＯＮに設定し、かつ、ブザーをＯＮにする。これにより、オペレータがタッチした部品画像に割り当てられているビットがオンに設定され、また、オペレータに対して、スイッチがＯＮになったことを示すブザーが鳴る。
【００９１】
なお、図８の例では、オペレータによる部品画像のタッチの終了がタッチパネル２５によって検出されてから、ディレイ時間ｔｏｆｆが経過したあと、画像状態変更部２６が、部品画像の表示状態をＯＦＦディレイ画像からＯＦＦ画像に変更する。一方、イベント実行部２７は、ビットをＯＮの状態に設定し続ける。このような動作は、セットスイッチやワードスイッチに適用できる。
【００９２】
図９は、オペレータによる部品画像のタッチ動作の終了がタッチパネル２５によって検出された後に、ディレイ時間ｔｏｆｆの間、オペレータによる部品画像のタッチ動作がタッチパネル２５によって続けて検出されなかった場合の、部品画像の表示状態の変化、ビット状態の変化、およびブザー鳴動の変化の他の例を示す図である。
【００９３】
図９に示す例では、オペレータによる部品画像のタッチがタッチパネル２５によって検出されると、イベント実行部２７が、ビットをＯＮに設定し、ブザーをＯＮにする。また、オペレータによる部品画像のタッチがタッチパネル２５によって検出され続けている間、イベント実行部２７は、ビットをＯＮに設定し続け、ブザーをＯＮにし続ける。さらに、オペレータによる部品画像のタッチの終了がタッチパネル２５によって検出されてから、ディレイ時間ｔｏｆｆが経過するまでの間も、イベント実行部２７は、ビットをＯＮに設定し続け、ブザーをＯＮにし続ける。このような動作は、モーメンタリスイッチに適用できる。
【００９４】
図１０は、オペレータによる部品画像のタッチ動作の終了がタッチパネル２５によって検出された後に、ディレイ時間ｔｏｆｆの間、オペレータによる部品画像のタッチ動作がタッチパネル２５によって続けて検出されなかった場合の、部品画像の表示状態の変化、ビット状態の変化、およびブザー鳴動の変化のさらに他の例を示す図である。
【００９５】
図１０に示す例では、オペレータによる部品画像のタッチの終了後、ディレイ時間ｔｏｆｆが経過したあと、イベント実行部２７は、ビットをＯＮからＯＦＦに設定する。このような動作は、リセットスイッチに適用できる。
【００９６】
〔２度押し待ち〕
制御用表示装置２０では、部品画像のタッチに対して、２度押し受け付け時間ｔ２を設定することができる。この２度押し受け付け時間ｔ２とは、オペレータによる１回目の部品画像のタッチがタッチパネル２５によって検出されたあと、オペレータによる２回目の部品画像のタッチを待つ時間をいう。この２度押し受け付け時間ｔ２の間、制御用表示装置２０では、画像状態変更部２６が、部品画像の表示状態を変更する。そこで、この例について、図１１を参照して説明する。
【００９７】
図１１は、オペレータによる部品画像の１回目のタッチ動作がタッチパネル２５によって検出されてから、２度押し受け付け時間ｔ２経過後、オペレータによる部品画像の２回目のタッチ動作がタッチパネル２５によって検出された場合の、部品画像の表示状態の変化を示す図である。
【００９８】
この図に示すように、制御用表示装置２０では、オペレータによる部品画像のタッチがＯＦＦであるとき、ディスプレイ２４に部品画像としてＯＦＦ画像が表示されている。換言すると、制御用表示装置２０では、オペレータによる部品画像の１回目のタッチがタッチパネル２５によって検出されていないとき、イベント実行部２７が、ディスプレイ２４に、部品画像としてＯＦＦ画像を表示している。
【００９９】
ここで、制御用表示装置２０では、オペレータによる部品画像の１回目のタッチが終了すると、２度押し受け付け時間ｔ２が設定される。すなわち、制御用表示装置２０では、オペレータによる部品画像の１回目のタッチがタッチパネル２５によって検出されると、画像状態変更部２６が、部品画像の表示状態を、ＯＦＦ画像から２度押し待ち画像へと変更する。このあと、２度押し受け付け時間ｔ２の間、部品画像の表示状態は、２度押し待ち画像のままである。
【０１００】
このとき、制御用表示装置２０において、スイッチは、まだＯＦＦからＯＮへと変化していない。すなわち、オペレータが部品画像の１回目のタッチを終了しても、スイッチはＯＦＦのままであり、イベント実行部２７は、部品画像に割り当てられている所定の処理を実行しない。
【０１０１】
制御用表示装置２０では、オペレータによる部品画像の１回目のタッチがタッチパネル２５によって検出されたあと、２度押し受け付け時間ｔ２が経過する間、部品画像として、２度押し待ち画像が表示され続ける。ここで、２度押し受け付け時間ｔ２が経過してしまうまでに、オペレータによる部品画像の２回目のタッチがタッチパネル２５によって検出されると、スイッチがＯＮになる。このとき、画像状態変更部２６が、部品画像の表示状態を２度押し待ち画像からＯＮ画像に変更する。また、イベント実行部２７は、部品画像に割り当てられた所定の処理を実行する。
【０１０２】
このような構成を取ることによって、２度押し受け付け時間ｔ２が設定されている制御用表示装置２０では、オペレータによる部品画像の１回目のタッチがタッチパネル２５によって検出されたあと、２度押し受け付け時間ｔ２が経過するまでに、オペレータによる部品画像の２回目のタッチがタッチパネル２５によって検出されて初めて、部品画像に割り当てられている所定の処理が実行される。これにより、制御用表示装置２０は、オペレータが誤って部品画像をタッチした場合の誤動作を未然に防止できる。
【０１０３】
また、制御用表示装置２０では、２度押し受け付け時間ｔ２の間、部品画像の表示状態が、２度押し待ち画像となっている。この２度押し待ち画像は、オペレータに対して、部品画像の１回目のタッチ後、所定時間が経過するまでに、部品画像をもう一度タッチする必要があることを伝えるための画像である。したがって、オペレータは、部品画像の１回目のタッチを終了したあと、部品画像の表示状態が２度押し待ち画像となっていることに基づき、これから所定時間が経過するまでに、部品画像をもう一度タッチしないと、スイッチがＯＦＦにならないことを理解する。
【０１０４】
すなわち、制御用表示装置２０では、２度押し受け付け時間ｔ２中に、画像状態変更部２６が部品画像の表示状態を変更することによって、オペレータに対して、いま、２度押し受け付け時間ｔ２が設定されている事実を通知できる。オペレータは、この部品画像の表示状態に基づき、部品画像の１回目のタッチを終了した後、現在、制御用表示装置２０がどのような状態になっているのかを知ることができるため、操作にまごつくことがない。すなわち、制御用表示装置２０は、この点においても、従来装置に比べてユーザフレンドリーに優れる。
【０１０５】
このように、制御用表示装置２０は、２度押し待ち時に部品画像の表示状態を変更しない従来装置に比べて、オペレータに対して、装置の現在の状況がを示す画像を、より積極的に提示する。すなわち、制御用表示装置２０は、従来装置に比較して、より優れた操作性を発揮する。
【０１０６】
〔２度押し待ち設定時の処理〕
なお、制御用表示装置２０では、図１２〜図１４に示すように、２度押し受け付け時間ｔ２が設定されている場合も、タッチパネル２５による部品画像のタッチ状況の検出のタイミングに合わせて、ビットの状態や、ブザーの鳴動を適宜、ＯＮにしたりＯＦＦにしたりする。この動作は、適宜、イベント実行部２７が行う。
【０１０７】
図１２は、オペレータによる部品画像の１回目のタッチ動作がタッチパネル２５によって検出されてから、２度押し受け付け時間ｔ２経過後、オペレータによる部品画像の２回目のタッチ動作がタッチパネル２５によって検出された場合の、部品画像の表示状態の変化、ビット状態の変化、およびブザー鳴動の変化の一例を示す図である。
【０１０８】
図１２に示す例では、オペレータによる部品画像の１回目のタッチがタッチパネル２５によって検出されると、イベント実行部２７が、ブザーをＯＮにする。また、オペレータによる部品画像の２回目のタッチがタッチパネル２５によって検出されると、イベント実行部２７が、ビットをＯＮに設定し、かつ、再び、ブザーをＯＮにする。これにより、オペレータが２回タッチした部品画像に割り当てられているビットがオンに設定され、また、オペレータに対して、スイッチがＯＮになったことを示すブザーが鳴る。
【０１０９】
なお、図１２の例では、オペレータによる部品画像の１回目のタッチがタッチパネル２５によって検出されると、画像状態変更部２６が、部品画像の表示状態をＯＦＦ画像から２度押し待ち画像に変更する。また、オペレータによる部品画像の２回目のタッチがタッチパネル２５によって検出されると、画像状態変更部２６が、部品画像の表示状態を２度押し待ち画像からＯＮ画像に変更する。一方、イベント実行部２７は、オペレータによる部品画像の２回目のタッチがタッチパネル２５によって検出されたときに、ビットをＯＮに設定し続ける。このような動作は、セットスイッチやワードスイッチおよびモーメンタリスイッチに適用できる。
【０１１０】
図１３は、オペレータによる部品画像の１回目のタッチ動作がタッチパネル２５によって検出されてから、２度押し受け付け時間ｔ２経過後、オペレータによる部品画像の２回目のタッチ動作がタッチパネル２５によって検出された場合の、部品画像の表示状態の変化、ビット状態の変化、およびブザー鳴動の変化の他の例を示す図である。
【０１１１】
図１３に示す例では、オペレータによる部品画像の２回目のタッチがタッチパネル２５によって検出されると、イベント実行部２７が、ビットをＯＦＦに設定し、ブザーをＯＮにする。このような動作は、リセットスイッチに適用できる。
【０１１２】
なお、制御用表示装置２０では、２度押し受け付け時間ｔ２が設定されているとき、オペレータによる部品画像の１回目のタッチがタッチパネル２５によって検出されたあと、設定されている２度押し受け付け時間ｔ２が経過しても、オペレータによる部品画像の２回目のタッチがタッチパネル２５によって検出されない場合、画像状態変更部２６は、部品画像の表示状態を、元の状態に変更するか、または、さらに他の状態に変更してもよい。この例について、図１４を参照して説明する。
【０１１３】
図１４は、オペレータによる部品画像の１回目のタッチ動作がタッチパネル２５によって検出されてから、２度押し受け付け時間ｔ２経過後、オペレータによる部品画像の２回目のタッチ動作がタッチパネル２５によって検出されなかった場合の、部品画像の表示状態、ビット状態の変化、およびブザー鳴動の変化の一例を示す図である。
【０１１４】
この図に示す例では、オペレータによる部品画像の１回目のタッチがタッチパネル２５によって検出されたあと、設定されている２度押し受け付け時間ｔ２が経過しても、オペレータによる部品画像の２回目のタッチがタッチパネル２５によって検出されない場合、画像状態変更部２６は、部品画像の表示状態を２度押し待ち画像から元のＯＦＦ画像に変更する。すなわち、制御用表示装置２０では、２度押し受け付け時間ｔ２の間にオペレータが部品画像の２回目のタッチを行わない場合、イベント実行部２７は、部品画像に割り当てられている所定の処理を実行しない。したがって、スイッチはＯＮにならず、ＯＦＦのままである。
【０１１５】
このような動作により、制御用表示装置２０は、２度押しが有効となる時間が終了したことを、部品画像の表示状態の変化によって、オペレータに通知できる。これにより、オペレータは、部品画像のタッチ操作を再度やり直すなど、その場の状況に応じた対応を取ることができる。この場合、制御用表示装置２０は、オペレータによる装置の操作性を、さらに向上できる。
【０１１６】
〔インターロック〕
制御用表示装置２０では、ディスプレイ２４に表示されている部品画像に、インターロックを設定できる。ここでいうインターロックとは、オペレータが部品画像をタッチしても、タッチパネル２５がそのタッチ動作を受け付けなかったり、あるいは、タッチパネル２５がタッチ動作を受け付けたとしても、イベント実行部２７が、部品画像に割り当てられている所定の処理を実行しなかったりする設定をいう。制御用表示装置２０は、このようなインターロックを、インターロック部２８が設定する。
【０１１７】
また、制御用表示装置２０では、インターロック部２８によって部品画像にインターロックが設定されている場合、画像状態変更部２６は、当該部品画像の表示状態を変更する。例えば、画像状態変更部２６は、部品画像の表示状態を、ＯＮ画像やＯＦＦ画像から、現在、部品画像にインターロックが設定されていることを示す、ＯＮ画像およびＯＦＦ画像とは異なる画像に変更する。
【０１１８】
これにより、オペレータは、現在、部品画像に対してインターロックが設定されていることを理解する。したがって、オペレータは、そのような部品画像に対する無用なタッチをしなくて済む。このように、制御用表示装置２０は、インターロック設定時に部品画像の表示状態を変更しない従来装置に比べて、オペレータに対して、装置の現在の状況を示す画像を、より積極的に提示する。すなわち、制御用表示装置２０は、従来装置に比較して、より優れた操作性を発揮する。
【０１１９】
なお、制御用表示装置２０の画像状態変更部２６は、部品画像の表示状態を変更する際、元のＯＮ画像やＯＦＦ画像とは異なる、任意の他の状態に変更すればよい。ここでいう状態の変更とは、画像そのものが他の異なる画像に変更されること、および、画像を点滅させたりすること等を含む。例えば、画像状態変更部２６は、ＯＮ画像やＯＦＦ画像の表示状態を変更する際、ＯＮ画像やＯＦＦ画像をグレースケール処理した画像やエンボス処理した画像に変更してもよい。
【０１２０】
〔表示制御プログラムおよび記録媒体〕
また、上述した各部材は、いずれも機能ブロックである。したがって、これらの部材は、ＣＰＵなどの演算手段が、図示しない記憶部に格納されたプログラムを実行し、図示しない入出力回路などの周辺回路を制御することによって、実現される。
【０１２１】
したがって、本発明の目的は、上述した機能を実現するソフトウェアである表示制御プログラムのプログラムコード（実行形式プログラム、中間コードプログラム、ソースプログラム）をコンピュータによって読み取り可能に記録した記録媒体を、制御用表示装置２０に供給し、この制御用表示装置２０に備えられるコンピュータ（またはＣＰＵやＭＰＵ、ＤＳＰ）が、記録媒体に記録されているプログラムコードを読み出し実行することによって、達成可能である。
【０１２２】
この場合、記録媒体から読み出されたプログラムコード自体が、上述した機能を実現することになり、そのプログラムコードを記録した記録媒体は、本発明を構成することになる。具体的には、制御用表示装置２０は、記憶部（図示せず）に格納された所定の表示制御プログラムを、図示しない演算手段（マイクロプロセッサ等）が実行することにより実現される。
【０１２３】
一方で、上述した各部材は、上述したソフトウェアと同様の処理を行う回路等のハードウェアとして実現してもよい。この場合、本発明の目的は、ハードウェアである制御用表示装置２０によって達成されることになる。
【０１２４】
また、演算手段は、単体の構成であってもよい。あるいは、制御用表示装置２０の内部にあるバスや各種の通信路を介して接続された複数の演算手段が、表示制御プログラムのコードを協同して実行する構成であってもよい。
【０１２５】
ここで、演算手段によって直接的に実行可能なプログラムコードそのもの、または、後述する解凍などの処理によってプログラムコードを生成可能な、データとしてのプログラムは、これらのプログラムまたはデータを記録媒体に格納し、この記録媒体を配布したり、あるいは、プログラムを、有線または無線の通信路を介して伝送するための通信ネットワークによって送信したりして配布したりすることによって、演算手段で実行されるものとする。
【０１２６】
このとき、通信ネットワークとしては、特に限定されず、具体的には、インターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等が利用可能である。また、通信ネットワークを構成する伝送媒体（通信路）としては、特に限定されず、具体的には、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ、８０２．１１無線、ＨＤＲ、携帯電話網、衛星回線、地上波デジタル網等の無線でも利用可能である。
【０１２７】
なお、表示制御プログラムを配布する際の記録媒体は、取り外し可能であることが好ましい。しかし、表示制御プログラムを配布した後の記録媒体は、取り外し可能であるか否かを問わない。また、記録媒体は、プログラムが記録されている媒体であれば、書き換え（書き込み）可能か否か、あるいは揮発性か否かは問われず、また、記録方法および形状も問われない。
【０１２８】
このような記録媒体を例示すると、磁気テープやカセットテープなどのテープ、フロッピー（登録商標）ディスクやハードディスクなどの磁気ディスク、ＣＤ−ＲＯＭや光磁気ディスク（ＭＯ）、ミニディスク（ＭＤ）、デジタルビデオディスク（ＤＶＤ）などのディスクなどである。また、プログラムが格納される記録媒体は、ＩＣカードや光カードのようなカード、あるいは、マスクＲＯＭやＥＰＲＯＭ、ＥＥＰＲＯＭまたはフラッシュＲＯＭなどの半導体メモリであってもよい。あるいは、ＣＰＵなどの演算手段内に形成されるメモリであってもよい。
【０１２９】
なお、プログラムコードを記録媒体から読み出して主記憶に格納するためのプログラム、および、通信ネットワークからプログラムコードをダウンロードするためのプログラムは、コンピュータによって実行可能にあらかじめ装置に格納されているものとする。
【０１３０】
また、プログラムコードは、上述した各処理の全手段を演算手段へ指示するコードであればよい。あるいは、プログラムコードは、所定の手順で呼び出すことによって、各処理の一部または全部を実行可能な基本プログラム（例えば、オペレーティングシステムやライブラリなど）がすでに存在していれば、この基本プログラムの呼び出しを、演算手段へ指示するコードやポインタなどによって、全手順の一部または全部を置き換えてもよい。
【０１３１】
また、記録媒体に表示制御プログラムを格納する際の形式は、例えば、実メモリに配置した状態のように、演算手段がアクセスして実行可能な格納形式であればよい。または、実メモリに配置する前において、演算手段が常時アクセス可能なローカルな記録媒体（例えば、実メモリやハードディスクなど）にインストールした後の格納形式や、あるいは、通信ネットワークや搬送可能な記録媒体などから、ローカルな記録媒体にインストールする前の格納形式であってもよい。
【０１３２】
また、表示制御プログラムは、コンパイルされた後のオブジェクトコードに限るものではなく、ソースコードや、インタプリトまたはコンパイルの途中で生成される中間コードとして、記録媒体に格納されていてもよい。いずれの場合であっても、圧縮された情報の解凍、符号化された情報の復元、インタプリト、コンパイル、リンク、または、実メモリへの配置などの処理、あるいは、これらの処理の組み合わせによって、中間コードを演算手段が実行可能な形式に変換可能であれば、表示制御プログラムを記録媒体に格納する際の形式にかかわらず、同様の効果を得ることができる。
【０１３３】
なお、本発明は上述した実施形態に限定されるものではなく、請求項に示した範囲で種々の変更が可能である。すなわち、請求項に示した範囲で適宜変更した技術的手段を組み合わせて得られる実施形態についても、本発明の技術的範囲に含まれる。
【産業上の利用可能性】
【０１３４】
本発明は、プログラマブル表示装置など、ターゲットシステムにおいて動作するデバイスの状態表示や制御を行う制御用表示装置として利用可能である。
【図面の簡単な説明】
【０１３５】
【図１】本発明の一実施形態に係る制御用表示装置を含む制御システムの詳細な構成を示すブロック図である。
【図２】オペレータによる部品画像のタッチ動作が、ディレイ時間の間、タッチパネルによって続けて検出された場合の、部品画像の表示状態の変化を示す図である。
【図３】オペレータによる部品画像のタッチ動作が、ディレイ時間の間、タッチパネルによって続けて検出された場合の、部品画像の表示状態の変化、ビット状態の変化、およびブザー鳴動の変化の一例を示す図である。
【図４】オペレータによる部品画像のタッチ動作が、ディレイ時間の間、タッチパネルによって続けて検出された場合の、部品画像の表示状態の変化、ビット状態の変化、およびブザー鳴動の変化の他の例を示す図である。
【図５】オペレータによる部品画像のタッチ動作が、ディレイ時間の間、タッチパネルによって続けて検出された場合の、部品画像の表示状態の変化、ビット状態の変化、およびブザー鳴動の変化のさらに他の例を示す図である。
【図６】オペレータによる部品画像のタッチ動作が、ディレイ時間の間、タッチパネルによって続けて検出された場合の、部品画像の表示状態の変化、ビット状態の変化、およびブザー鳴動の変化のさらに他の例を示す図である。
【図７】オペレータによる部品画像のタッチ動作の終了がタッチパネルによって検出された後に、ディレイ時間の間、オペレータによる部品画像のタッチ動作がタッチパネル２５によって続けて検出されなかった場合の、部品画像の表示状態の変化を示す図である。
【図８】オペレータによる部品画像のタッチ動作の終了がタッチパネルによって検出された後に、ディレイ時間の間、オペレータによる部品画像のタッチ動作がタッチパネルによって続けて検出されなかった場合の、部品画像の表示状態の変化、ビット状態の変化、およびブザー鳴動の変化の一例を示す図である。
【図９】オペレータによる部品画像のタッチ動作の終了がタッチパネル２５によって検出された後に、ディレイ時間の間、オペレータによる部品画像のタッチ動作がタッチパネルによって続けて検出されなかった場合の、部品画像の表示状態の変化、ビット状態の変化、およびブザー鳴動の変化の他の例を示す図である。
【図１０】オペレータによる部品画像のタッチ動作の終了がタッチパネル２５によって検出された後に、ディレイ時間の間、オペレータによる部品画像のタッチ動作がタッチパネルによって続けて検出されなかった場合の、部品画像の表示状態の変化、ビット状態の変化、およびブザー鳴動の変化のさらに他の例を示す図である。
【図１１】オペレータによる部品画像の１回目のタッチ動作がタッチパネルによって検出されてから、２度押し受け付け時間経過後、オペレータによる部品画像の２回目のタッチ動作がタッチパネルによって検出された場合の、部品画像の表示状態の変化を示す図である。
【図１２】オペレータによる部品画像の１回目のタッチ動作がタッチパネルによって検出されてから、２度押し受け付け時間経過後、オペレータによる部品画像の２回目のタッチ動作がタッチパネルによって検出された場合の、部品画像の表示状態の変化、ビット状態の変化、およびブザー鳴動の変化の一例を示す図である。
【図１３】オペレータによる部品画像の１回目のタッチ動作がタッチパネルによって検出されてから、２度押し受け付け時間経過後、オペレータによる部品画像の２回目のタッチ動作がタッチパネルによって検出された場合の、部品画像の表示状態の変化、ビット状態の変化、およびブザー鳴動の変化の他の例を示す図である。
【図１４】オペレータによる部品画像の１回目のタッチ動作がタッチパネルによって検出されてから、２度押し受け付け時間経過後、オペレータによる部品画像の２回目のタッチ動作がタッチパネルによって検出されなかった場合の、部品画像の表示状態、ビット状態の変化、およびブザー鳴動の変化の一例を示す図である。
【符号の説明】
【０１３６】
１０    作画エディタ装置
１２    作画処理部
１４    通信部
２０    制御用表示装置
２１    制御部
２２    作画エディタ側通信部
２３    画面データ記憶部
２４    ディスプレイ
２５    タッチパネル
２６    画像状態変更部（表示状態変更手段）
２７    イベント実行部（処理実行手段）
２８    インターロック部（押下ロック設定手段）
２９    ＰＬＣ側通信部
４０    ＰＬＣ
５０    デバイス
【図１】
2006134092.tif 000003
【図２】
2006134092.tif 000004
【図３】
2006134092.tif 000005
【図４】
2006134092.tif 000006
【図５】
2006134092.tif 000007
【図６】
2006134092.tif 000008
【図７】
2006134092.tif 000009
【図８】
2006134092.tif 000010
【図９】
2006134092.tif 000011
【図１０】
2006134092.tif 000012
【図１１】
2006134092.tif 000013
【図１２】
2006134092.tif 000014
【図１３】
2006134092.tif 000015
【図１４】
2006134092.tif 000016